(57)【要約】【課題】ケーブルを把持してロックするときの操作荷重を増大させることなく、ロック状態におけるケーブルの保持力を高める。【解決手段】ケーブルの配線箇所に取り付けることが可能な本体１０と、本体１０に形成され、ケーブルの外周を受け入れることが可能な凹状の受承部１１と、本体１０にヒンジ２７で連結され、受承部１１の開放部分を閉ざした状態でロックされるクランプ部材２０とを備え、本体の受承部１１に対してその開放部分からケーブルを押し込むとともに、クランプ部材２０で開放部分を閉ざしてロックすることにより、ケーブルを把持することが可能なケーブル用クリップであって、受承部１１の内壁に、その開放部分から底部にかけて連続するリブ１２が設けられている。このリブ１２は、ケーブルを受け入れる幅が受承部１１の底部に向かって徐々に狭くなる傾斜角度に設定されている。【選択図】        図４
2006353061.tif 000002
【特許請求の範囲】
【請求項１】
ケーブルの配線箇所に取り付けることが可能な本体と、本体に形成され、ケーブルの外周を受け入れることが可能な凹状の受承部と、本体にヒンジで連結され、受承部の開放部分を閉ざした状態でロックされるクランプ部材とを備え、本体の受承部に対してその開放部分からケーブルを押し込むとともに、クランプ部材で開放部分を閉ざしてロックすることにより、ケーブルを把持することが可能なケーブル用クリップであって、
受承部の内壁に、その開放部分から底部にかけて連続するリブが設けられ、このリブは、ケーブルを受け入れる幅が受承部の底部に向かって徐々に狭くなる傾斜角度に設定されているケーブル用クリップ。
【請求項２】
請求項１に記載されたケーブル用クリップであって、
本体における受承部の底部に突起状の押圧リブが設けられ、この押圧リブは、受承部とクランプ部材とによって把持された状態でのケーブル外周に干渉し、このケーブルを長さ方向に沿って波打たせるように設定されているケーブル用クリップ。
【請求項３】
請求項１又は２に記載されたケーブル用クリップであって、
本体における受承部の開放部分で、かつ、本体にクランプ部材を連結しているヒンジとは反対側の縁に支持リブが設けられ、この支持リブは、受承部に押し込まれたケーブルにおいて、この受承部から露出している部分を支えるように設定されているケーブル用クリップ。
【発明の詳細な説明】
【技術分野】
【０００１】
本発明は、電線などのケーブルを把持して所定の配線箇所に留めるためのケーブル用クリップに関する。
【背景技術】
【０００２】
この種の一般的なクリップとしては、例えば特許文献１に開示された技術が既に知られている。この技術では、ケーブル（例えばワイヤハーネス）を結束するためのベルトと、配線箇所に開けられている取付け孔に差し込むことができる係止脚とを備えている。ベルトは、ケーブルの外周に巻いて締め付けることができ、それによってケーブルがクリップ側に把持される。
【０００３】
これに対し、ワンタッチ形式のクリップでは、配線箇所に取り付けることが可能な本体に凹状の受承部が形成されているとともに、本体にクランプ部材がヒンジで連結されている。この受承部にケーブルを押し込んでセットするとともに、クランプ部材を受承部の開放側を閉ざした状態でロックすることにより、ワンタッチでケーブルが把持される。
【特許文献１】特開平１１−３０８７３９号公報
【発明の開示】
【発明が解決しようとする課題】
【０００４】
ワンタッチ形式のクリップにおいては、クランプ部材のロック状態におけるケーブルの把持力に不安があり、特にケーブルが長さ方向へずれ動くのを阻止するための保持力が不足しやすい。この対策としては、本体の受承部内に形成されているずれ止め用リブの張り出し量を増やすことにより、ケーブルに対するリブの食い込み量を大きくしている。しかし、この対策ではクランプ部材をロックするための操作荷重が増大することとなる。
【０００５】
本発明は、このような課題を解決しようとするもので、その目的は、ケーブルを把持してロックするときの操作荷重を増大させることなく、ロック状態におけるケーブルの保持力を高めることである。
【課題を解決するための手段】
【０００６】
本発明は、上記の目的を達成するためのもので、以下のように構成されている。
請求項１に記載の発明は、ケーブルの配線箇所に取り付けることが可能な本体と、本体に形成され、ケーブルの外周を受け入れることが可能な凹状の受承部と、本体にヒンジで連結され、受承部の開放部分を閉ざした状態でロックされるクランプ部材とを備え、本体の受承部に対してその開放部分からケーブルを押し込むとともに、クランプ部材で開放部分を閉ざしてロックすることにより、ケーブルを把持することが可能なケーブル用クリップであって、受承部の内壁に、その開放部分から底部にかけて連続するリブが設けられている。このリブは、ケーブルを受け入れる幅が受承部の底部に向かって徐々に狭くなる傾斜角度に設定されている。
【０００７】
この構成によれば、本体の受承部に設けられているリブ自体の張り出し量を増やすことなく、受承部にケーブルが押し込まれて最終的な受け入れ位置に近づくことで、リブがケーブル外周に強く食い込むこととなる。これにより、本体の受承部とクランプ部材とによってケーブルを把持した状態でロックするための操作荷重を増大させることなく、ロック状態でのケーブルが長さ方向へずれ動くのを阻止する保持力が高められる。
【０００８】
請求項２に記載の発明は、請求項１に記載されたケーブル用クリップであって、本体における受承部の底部に突起状の押圧リブが設けられている。この押圧リブは、受承部とクランプ部材とによって把持された状態でのケーブル外周に干渉し、このケーブルを長さ方向に沿って波打たせるように設定されている。
これにより、ロック状態でのケーブルが長さ方向へずれ動くのを阻止する力をさらに高めることができる。
【０００９】
請求項３に記載の発明は、請求項１又は２に記載されたケーブル用クリップであって、本体における受承部の開放部分で、かつ、本体にクランプ部材を連結しているヒンジとは反対側の縁に支持リブが設けられている。この支持リブは、受承部に押し込まれたケーブルにおいて、この受承部から露出している部分を支えるように設定されている。
【００１０】
これにより、受承部の開放部分をクランプ部材によって閉ざすときに、このクランプ部材からの押し付け荷重を受けたケーブルが倒れ込まないように支持リブで受け止められる。したがって、ケーブルが本体とクランプ部材との間に挟み込まれてクランプ部材のロック不良が生じるのを防止することができる。
【発明を実施するための最良の形態】
【００１１】
以下、本発明を実施するための最良の形態を、図面を用いて説明する。
図１は、ケーブル用クリップを表した正面図である。図２は、図１の平面図である。図３は、ケーブル用クリップを表した斜視図である。これらの図面で示されているクリップは、樹脂による一体成形品である。このクリップは、主として車両におけるエアバッグ用インフレータの点火装置に通電するための電線４０（ケーブル）を、シート内部のクッションバネ（Ｓバネ）に沿って配線する際に使用される。したがって、このクリップは、電線４０を把持するための本体１０と、この本体１０をクッションバネ材に留めるための取付け用ブロック３０とに大別される。なお、電線４０は、その断面形状がほぼ楕円形で、クリップの本体１０で把持されたときの線径の向きに方向性が求められる。
【００１２】
図４は、図１の一部を拡大して表した正面図である。図５は、図２の一部を拡大して表した平面図である。図６は、図３の一部を拡大して表した斜視図である。図７は、図６を左方向から見た斜視図である。これらの図面からも明らかなように、クリップの本体１０は、電線４０外周の一部を嵌め込むことができる溝形状の受承部１１を備えている。この受承部１１は、電線４０をその長径に沿った向きでのみ、嵌め込むことができる形状に設定され（図１，４）、それによって電線４０の線径の向きを規制するようになっている。
【００１３】
本体１０における受承部１１の相対向する内壁には、それぞれの両サイドおよび中間の三箇所において計6個のリブ１２が設けられている。これらのリブ１２は、図４で示すように、受承部１１の開放部側に位置するストレート部分１２ａと、受承部１１の底部側に位置する傾斜部分１２ｂとを有している。各リブ１２のストレート部分１２ａは、受承部１１の深さ方向における開放部側のほぼ半分の領域を占め、各リブ１２の傾斜部分１２ｂは、底部側のほぼ半分の領域を占めている。これにより、受承部１１における開放部側のほぼ半分の領域では電線４０の受け入れ幅がほぼ一定であるのに対し、底部側のほぼ半分の領域では底部に向かって電線４０の受け入れ幅がV字状に狭くなっている。なお、各リブ１２の傾斜部分１２ｂは、受承部１１の内壁に倣った傾斜角度に設定され、内壁からの張り出し量はほとんど一定である。
【００１４】
受承部１１の底部には、開放部に向かって突出した2個の押圧リブ１３が設けられている。また、受承部１１の開放部側には、つぎに説明するクランプ部材２０と本体１０とを連結しているヒンジ２７の反対側の縁において、2個の支持リブ１４が設けられている。これらの支持リブ１４は、受承部１１の開放部よりも図面上方へ張り出している。なお、押圧リブ１３および支持リブ１４は、受承部１１の相対向する個々の内壁における3個のリブ１２の間にそれぞれ位置している。
【００１５】
本体１０は、図面の上下方向へ貫通した矩形の中空部を有するソケット１６を備えている。このソケット１６内における一つの壁面には、ロック爪１４が設けられている。同じく本体１０は、ソケット１６の反対側においてクランプ部材２０を備えている。このクランプ部材２０は、弾性変形可能な薄肉のヒンジ２７によって本体１０側と結合されている。クランプ部材２０は、本体１０の受承部１１に嵌め込まれた電線４０外周の一部を受け入れることが可能な溝形状の凹部２１を備えている。凹部２１の内壁には、受承部１１の各リブ１２と対応する位置においてリブ２２が設けられている。
【００１６】
クランプ部材２０の先端部には、凹部２１と同じ側へ突出した挿入部２３が設けられている。この挿入部２３は、クランプ部材２０をヒンジ２７の変形によって受承部１１の開放部に被せたとき、ソケット１６に挿入されるようになっている。挿入部２３の先端部には、挿入部２３がソケット１６内に挿入されたとき、このソケット１６のロック爪１７に対して係止するロック爪２４が設けられている。
【００１７】
クリップの取付け用ブロック３０は、本体１０のソケット１３における片側の外壁と一体に成形されている。この取付け用ブロック３０は、シートのクッションバネ材（図示省略）を嵌め込むことができる溝形状の受け入れ凹部３１を備えている。また、このブロック３０は、受け入れ凹部３１を挟んだ両側において、ソケット３２および押さえ部材３６をそれぞれ備えている。押さえ部材３６は、ブロック３０側に対して弾性変形可能な薄肉のヒンジ３７によって結合されている。そして、ソケット３２の内部には係止爪３３があり、押さえ部材３６の先端には係止爪３３と係止可能な係止爪３８がある。なお、本実施の形態におけるクリップでは、本体１０の受承部１１およびクランプ部材２０と、取付け用ブロック３０の受け入れ凹部３１および押さえ部材３６とは、上下方向に関して互いに反対向きとなるように設定されている。
【００１８】
引きつづき、クランプの本体１０によって電線４０（ケーブル）を把持した状態でロックする作業について説明する。
図８は、ロック前のクリップを表した正面図である。図９は、ロック状態のクリップを表した正面図である。図１０は、図９のA-A矢視方向の断面図である。
【００１９】
作業に際しては、まず、本体１０の受承部１１に対し、電線４０をその長径に沿った向きで嵌め込む。つぎに、図８で示すようにクランプ部材２０をヒンジ２７の箇所で折り曲げ、その挿入部２３をソケット１６に挿入することにより、挿入部２３のロック爪２４がソケット１６内のロック爪１７に係止する。この結果、図９で示すように電線４０が本体１０の受承部１１とクランプ部材２０の凹部２１とによって把持され、かつ、その状態でクランプ部材２０がソケット１６側にロックされる。
【００２０】
既に述べたように本体１０の受承部１１は、その底部側のほぼ半分の領域において各リブ１２によって電線４０の受け入れ幅が徐々に狭くなっている。したがって、図８で示すように本体１０の受承部１１にセットされた電線４０が、クランプ部材２０によって受承部１１の底部側へ押し込まれて最終的な受け入れ位置に近づくことに伴い、各リブ１２の傾斜部分１２ｂが電線４０の外周に強く食い込む。これにより、ロック状態での電線４０が長さ方向へずれ動くのを阻止するための保持力が高められる。なお、各リブ１２の張り出し量は、これまでと比べて増大させる必要がないので、電線４０を把持した状態でクランプ部材２０をロックするための操作荷重が増大するのを回避できる。
【００２１】
また、クランプ部材２０のロック状態では、受承部１１の両押圧リブ１３が電線４０に干渉し、図１０で示すように電線４０が長さ方向に沿って波打った状態となる。これによって、電線４０のずれを阻止するための保持力がさらに高められる。
【００２２】
図８で示すように本体１０の受承部１１にセットされた電線４０は、クランプ部材２０の反対側において受承部１１から露出している部分が、両支持リブ１４によって支えられている。このため、電線４０がクランプ部材２０からの押し付け荷重を受けときでも、電線４０が倒れ込んで受承部１１の縁とクランプ部材２０との間に挟み込まれるのを防止できる。したがって、クランプ部材２０が常に適正にロックされ、ロック不良による電線４０のずれ動きを防止することができる。
【図面の簡単な説明】
【００２３】
【図１】ケーブル用クリップを表した正面図
【図２】図１の平面図
【図３】ケーブル用クリップを表した斜視図
【図４】図１の一部を拡大して表した正面図
【図５】図２の一部を拡大して表した平面図
【図６】図３の一部を拡大して表した斜視図
【図７】図６を左方向から見た斜視図
【図８】ロック前のクリップを表した正面図
【図９】ロック状態のクリップを表した正面図
【図１０】図９のA-A矢視方向の断面図
【符号の説明】
【００２４】
１０ 本体
１１ 受承部
１２ リブ
１３ 押圧リブ
１４ 支持リブ
２０ クランプ部材
２７ ヒンジ
４０ 電線（ケーブル）
【図１】
2006353061.tif 000003
【図２】
2006353061.tif 000004
【図３】
2006353061.tif 000005
【図４】
2006353061.tif 000006
【図５】
2006353061.tif 000007
【図６】
2006353061.tif 000008
【図７】
2006353061.tif 000009
【図８】
2006353061.tif 000010
【図９】
2006353061.tif 000011
【図１０】
2006353061.tif 000012